(57)【要約】【課題】ゴーストやフレアの発生をより低減できるフレアストッパを提供する。【解決手段】フレアストッパ３１は、厚み０．０３ｍｍのリン青銅板を環状にプレス加工で打ち抜き、中心部の円形開口３１ａの端面３２が撮影光軸Ｌに対して傾斜するように、フレアストッパ３１の中心側を凹ませてある。フレアストッパ３１は反射防止のために黒色艶消し塗装を施してある。端面３２が第３レンズ２３側に向くように、フレアストッパ３１をスペーサ３０の溝３０ａに嵌入する。スペーサ３０を撮影レンズの第２レンズ２２と第３レンズ２３との間に組み込むと、フレアストッパ３１の位置が光軸に対してずれることなく、高精度に組み込まれる。第２レンズ２２を通った光束３６は、端面３２に当たって光ることなく、円形開口３１ａを通過して第３レンズ２３に入射する。【選択図】        図４
2004184687.tif 000002
【特許請求の範囲】
【請求項１】
撮影レンズを保持するレンズ鏡筒内に組み込まれ、撮影レンズに入射した光束を中心部の円形開口に通すことによりフレアの発生を抑える環状のフレアストッパにおいて、
前記円形開口の端面を撮影光軸に対して傾斜させたことを特徴とするフレアストッパ。
【請求項２】
前記撮影レンズを構成する複数のレンズ間に設けられる間隔環に取り付けてからレンズ鏡筒内に組み込むことを特徴とする請求項１記載のフレアストッパ。
【発明の詳細な説明】
【０００１】
【発明の属する技術分野】
本発明は、フレアストッパに関し、更に詳しくはフレアの発生をより低減できるフレアストッパに関するものである。
【０００２】
【従来の技術】
フレアストッパとしては、例えば特許文献１に記載されたものが知られている。フレアストッパは、例えば厚み０．０３〜０．０５ｍｍ程度の薄いポリエステルフイルム（「マイラー」（商品名）と呼ばれる）から形成されたワッシャのような環状をしている。フレアストッパは、撮影レンズを保持するレンズ鏡筒内に組み込まれ、撮影レンズに入射した光束を中心部の円形開口に通すことによりフレアの発生を抑える。
【０００３】
【特許文献１】
特開２００２−２５０９５６号公報
【０００４】
【発明が解決しようとする課題】
上記のようなフレアストッパでは、前記円形開口の端面が光束の一部を反射して光ることがあり、却ってゴーストやフレアを発生させる場合がある。
【０００５】
上記課題を解決するためになされたもので、ゴーストやフレアの発生をより低減できるフレアストッパを提供することを目的とするものである。
【０００６】
【課題を解決するための手段】
前記目的を達成するために、本発明のフレアストッパは、撮影レンズを保持するレンズ鏡筒内に組み込まれ、撮影レンズに入射した光束を中心部の円形開口に通すことによりフレアの発生を抑える環状のフレアストッパにおいて、前記円形開口の端面を撮影光軸に対して傾斜させたものである。また、前記撮影レンズを構成する複数のレンズ間に設けられる間隔環に取り付けてからレンズ鏡筒内に組み込むものである。
【０００７】
【発明の実施の形態】
本発明のフレアストッパを採用したデジタルカメラ１０の外観を示す図１において、薄型タイプのデジタルカメラ１０の前面には、撮影レンズ１１、対物側ファインダ窓１２、ストロボ発光部１３が設けられている。また、上面には、電源スイッチ１４，レリーズボタン１５が設けられている。また、図示しないが、背面側には、接眼側ファインダ窓，液晶モニタ等が設けられている。
【０００８】
撮影レンズ１１は、図２に示すように、直径が約５ｍｍの第１レンズ２１〜第４レンズ２４からなる４枚構成の超小型レンズである。最も外側にある第１レンズ２１は、レンズ枠２６に取り付けられている。後方の第２レンズ２２〜第４レンズ２４は、レンズ鏡筒２７の筒部２７ａの穴２８に第２レンズ２２から順番に落とし込まれるようにして組み込まれ、第４レンズ２４が筒部２７ａの端部に固定されている。
【０００９】
第２レンズ２２と第３レンズ２３との間には、間隔環であるスペーサ３０と、この溝３０ａ（図３及び図４参照）に嵌入されるようにして取り付けられるフレアストッパ３１とが設けられている。また、レンズ枠２６と筒部２７ａとの間には、シャッタ３３が設けられている。また、撮影レンズ１１の後方には、ＣＣＤイメージセンサ３５が配置されている。
【００１０】
フレアストッパ３１は、例えば厚み０．０３ｍｍのリン青銅板を環状（ワッシャ形状）にプレス加工で打ち抜き、図３及び図４に示すように、中心部に形成された円形開口３２の端面３２ａが撮影光軸Ｌに対して傾斜するように、フレアストッパ３１の中心側を凹ませてある。また、フレアストッパ３１は、前記プレス加工した後、反射防止のために黒色艶消しの塗装を施してある。そして、端面３２ａが第３レンズ２３側に向くように、フレアストッパ３１をスペーサ３０の溝３０ａに嵌入させる。
【００１１】
フレアストッパ３１を単独にレンズ間に挟むのではなく、スペーサ３０に取り付けた状態でレンズ鏡筒２７に組み込むので、フレアストッパ３１の位置が光軸に対してずれることなく、高精度に組み込むことができる。
【００１２】
このように構成されたデジタルカメラ１０を被写体に向けてシャッタボタン１５を押し下げると、シャッタ３３が開閉して撮影レンズ１１に入射した光束３６が第１レンズ２１，第２レンズ２２を通ってフレアストッパ３１に達する。光束３６がフレアストッパ３１の円形開口３２を通過する際に、円形開口３２の端面３２ａが撮影光軸Ｌに対して傾斜しているから、端面３２ａに当たって光ることがない。これにより、ゴーストやフレアの発生が低減する。円形開口３２を通過した光束３６は、第３レンズ２３，第４レンズ２４を通って、ＣＣＤイメージセンサ３５の受光面に結像される。
【００１３】
前記フレアストッパ３１をスペーサ３０の溝３０ａに嵌入させる際に、端面３２ａを第３レンズ２３側に向けたが、図５に示すように、端面３２ａを第１レンズ２１側に向けてもよい。この場合も、端面３２ａが撮影光軸Ｌに対して傾斜するから、光束３６が端面３２ａに当たって光ることがなく、ゴーストやフレアの発生が低減される。
【００１４】
また、上記実施形態では、フレアストッパのレンズ鏡筒への組み込みに際して、フレアストッパをスペーサの溝に嵌入させたが、図６に示すように、フレアストッパ３７をスペーサ３８と第３レンズ２３との間に挟み込むようにしてもよい。なお、本実施形態でも上記実施形態と同様に、フレアストッパ３７の中心部に形成された円形開口３９の端面３９ａは撮影光軸Ｌに対して傾斜している。
【００１５】
また、上記実施形態はいずれも、フレアストッパを高精度に作成できるリン青銅板から形成したが、本発明はこれに限定されることなく、例えば厚み０．０３〜０．０５ｍｍ程度の薄い黒色のポリエステルフイルム（マイラー（商品名））から形成してもよい。この場合、マイラーをプレス加工で打ち抜いて環状のフレアストッパを作成する。
【００１６】
図７に示すように、マイラーから形成したフレアストッパ４０をスペーサ４１の溝４１ａに圧入し、このスペーサ４１を、撮影レンズ４２の組立に際して、第２レンズ２２と第３レンズ２３との間に挟み込む。これにより、フレアストッパ４０の中心側が第２レンズ２２の面に押されて弾性変形し、フレアストッパ４０の中心部に形成された円形開口４２の端面４２ａが撮影光軸Ｌに対して傾斜するから、光束３６が端面４２ａに当たって光ることがなく、ゴーストやフレアの発生が低減される。
【００１７】
マイラーから形成したフレアストッパ４０は変形しやすいが、単独にレンズ間に挟むのではなく、スペーサ４１に取り付けた状態でレンズ鏡筒２７に組み込むので、フレアストッパ４０が変形したり、光軸との位置がずれることなく、高精度に組み込むことができる。
【００１８】
以上説明した実施形態では、フレアストッパの材料として用いるリン青銅板の厚みを０．０３ｍｍとし、マイラーの厚みを０．０３〜０．０５ｍｍ程度としたが、本発明がこれらの数値に限定されないことはもちろんである。また、撮影レンズのレンズ構成も上記実施形態に限定されないのはもちろんである。
【００１９】
また、上記実施形態は、デジタルカメラの撮影レンズに適用した例であったが、本発明はこれに限定されることなく、例えばカメラ機能付き携帯電話やレンズ付きフイルムユニット等の撮影レンズに適用することもできる。
【００２０】
【発明の効果】
以上詳細に説明したように、本発明のフレアストッパは、中心部の円形開口の端面を撮影光軸に対して傾斜させたので、ゴーストやフレアの発生をより低減できる。また、フレアストッパは、撮影レンズを構成する複数のレンズ間に設けられる間隔環に取り付けてからレンズ鏡筒内に組み込むので、変形したり、光軸との位置がずれることなく、高精度にレンズ鏡筒内に組み込むことができる。
【図面の簡単な説明】
【図１】デジタルカメラの外観を示す斜視図である。
【図２】撮影レンズの端面図である。
【図３】フレアストッパとスペーサとの関係を示す斜視図である。
【図４】撮影レンズの要部を拡大して示す端面図である。
【図５】中心側の傾斜方向を逆にしたフレアストッパの実施形態を示す端面図である。
【図６】スペーサと第３レンズとの間に挟持させたフレアストッパの実施形態を示す端面図である。
【図７】マイラーで形成したフレアストッパの実施形態を示す端面図である。
【符号の説明】
１０  デジタルカメラ
１１  撮影レンズ
２１〜２４  第１レンズ〜第４レンズ
２７  レンズ鏡筒
３０，３８，４１  スペーサ
３１，３７，４０  フレアストッパ
３２，３９，４２  円形開口
３２ａ，３９ａ，４２ａ  端面
３６  光束
Ｌ  光軸
【図１】
2004184687.tif 000003
【図２】
2004184687.tif 000004
【図３】
2004184687.tif 000005
【図４】
2004184687.tif 000006
【図５】
2004184687.tif 000007
【図６】
2004184687.tif 000008
【図７】
2004184687.tif 000009